(57)【特許請求の範囲】
【請求項１】
原稿を載置する原稿台および当該原稿台に載置された原稿を読み取る読み取り手段が設けられた筐体と、
回動軸を介して前記筐体に回動可能に設けられ、回動することにより前記原稿台を開閉する開閉体と、
前記原稿台の原稿載置面に対して交差する方向への前記回動軸の変位を許容する第1状態と、前記変位を規制する第２状態と、を切り換え可能な回動軸規制手段と、
を備え、
前記回動軸規制手段は、前記筐体の設置面に対する前記筐体の姿勢に応じて前記第1状態と前記第２状態とを切り換える、
ことを特徴とする画像読取装置。
【請求項２】
請求項１に記載の画像読取装置において、前記回動軸規制手段は、前記設置面に対して前記筐体の裏側が接した場合に前記第１状態をとり、前記設置面に対して前記筐体の裏側が離れた場合に前記第２状態をとる、
ことを特徴とする画像読取装置。
【請求項３】
請求項２に記載の画像読取装置において、前記回動軸は前記開閉体に設けられた回動軸部に設けられ、前記回動軸規制手段は、前記回動軸部から離間して前記第１状態を形成する離間位置と、前記回動軸部と係合して前記第２状態を形成する係合位置と、の間を変位可能に設けられた規制部材と、
前記規制部材を前記係合位置に向けて付勢する付勢部材と、
前記筐体の裏側から突出し、前記規制部材の前記係合位置への変位を許容する突出位置と、当該突出位置よりも前記筐体の内側に押し込まれ、前記規制部材の前記係合位置への変位を規制する押し込み位置と、の間を変位可能に設けられた部材と、を備える、
ことを特徴とする画像読取装置。
【請求項４】
請求項３に記載の画像読取装置において、前記変位可能に設けられた部材はカム機構を有する部材である、
ことを特徴とする画像読取装置。
【請求項５】
請求項２に記載の画像読取装置において、前記回動軸は前記開閉体に設けられた回動軸部に設けられ、前記回動軸規制手段は、前記回動軸部から離間して前記第１状態を形成する離間位置と、前記回動軸部と係合して前記第２状態を形成する係合位置と、の間を変位可能に設けられた規制部材と、
前記規制部材を変位させる為の操作部と、を備える、
ことを特徴とする画像読取装置。
【請求項６】
請求項１から請求項５のいずれか一項に記載の画像読取装置において、前記筐体は、前記回動軸を前記原稿載置面に対して交差する方向に案内する直線状の軸受け部を有する、
ことを特徴とする画像読取装置。
【請求項７】
請求項１から請求項６のいずれか一項に記載の画像読取装置において、前記筐体の設置面に対して前記筐体を傾斜姿勢に保持可能なスタンドを備え、
前記筐体が前記傾斜姿勢に保持された状態において、前記開閉体は、鉛直方向と交差する方向である横方向に開閉する、
ことを特徴とする画像読取装置。
【発明の詳細な説明】
【技術分野】
【０００１】
本発明は、スキャナーに代表される画像読取装置に関する。
【背景技術】
【０００２】
画像読取装置としてのスキャナー、その中でも特に原稿台ガラスの下を読取センサーが移動しながら画像の読取を行う所謂フラットベッド型のスキャナーにおいては、一般的に、原稿台ガラスを開閉するカバーが設けられている。スキャナーによっては、カバーに代えて自動原稿搬送装置（所謂ＡＤＦ）が原稿台ガラスを開閉する構成も見られるが、以下では原稿台ガラスをカバーが開閉する構成を例にして説明する。
【０００３】
カバーの裏側、即ち原稿台ガラスと対向する側には、特許文献１に示されるようにスポンジなどの弾性材で構成された原稿押さえが設けられ、カバーを閉じた際に、原稿押さえによって原稿を均等に押圧して良好な読み取り結果が得られる様に構成されている。
【０００４】
しかしながら原稿には種々の厚みのものがあり、特に冊子などの場合には相応の厚みがあり、この様な厚みのある原稿の場合には、カバーの回動軸に近い位置では原稿を押圧できるが、回動軸から遠い位置では原稿を押圧できない場合がある。  
そこでスキャナーによっては、特許文献２に示されるように、カバーの回動軸が上下方向（原稿台ガラスと直交する方向）に変位可能に設けられ、カバーの回動中心が原稿の厚みに応じて上下できるように構成されたものがある。
【先行技術文献】
【特許文献】
【０００５】
【特許文献１】特開２００６−１８６７７１号公報
【特許文献２】特開２００１−０４１２２６号公報
【発明の概要】
【発明が解決しようとする課題】
【０００６】
しかしながら、スキャナーが水平姿勢ではなく例えば傾斜姿勢に置かれると、例えば原稿の厚みが薄いにも拘わらず、カバーの回動軸がカバーと原稿台との間隔を拡げる方向に動いてしまい、原稿を適切に押圧できない場合が生じる。
【０００７】
特に、スキャナーにおいては設置面積の節約を目的として、特許文献１に示される様に装置を傾斜した姿勢に保持するスタンドを備え、傾斜姿勢のままで使用可能に構成されたものがある。この様にスキャナーが極端な傾斜姿勢になると、上述した不具合はより一層生じ易くなる。
【０００８】
上記課題を解決するために本発明の一つの態様に係る画像読取装置は、原稿を載置する原稿台および当該原稿台に載置された原稿を読み取る読み取り手段が設けられた筐体と、回動軸を介して前記筐体に回動可能に設けられ、回動することにより前記原稿台を開閉する開閉体と、前記原稿台の原稿載置面に対して交差する方向への前記回動軸の変位を許容する第1状態と、前記変位を規制する第２状態と、を切り換え可能な回動軸規制手段と、を備え、前記回動軸規制手段は、前記筐体の設置面に対する前記筐体の姿勢に応じて前記第1状態と前記第２状態とを切り換える、ことを特徴とする。
また本発明の第１の態様に係る画像読取装置は、原稿を載置する原稿台および当該原稿台に載置された原稿を読み取る読み取り手段が設けられた筐体と、回動軸を介して前記筐体に回動可能に設けられ、回動することにより前記原稿台を開閉する開閉体と、前記原稿台の原稿載置面に対して交差する方向への前記回動軸の変位を許容する第1状態と、前記変位を規制する第２状態と、を切り換え可能な回動軸規制手段とを備えたことを特徴とする。
【課題を解決するための手段】
【０００９】
上記課題を解決する為に、本発明の第1の態様に係る画像読取装置は、原稿を載置する原稿台および当該原稿台に載置された原稿を読み取る読み取り手段が設けられた筐体と、回動軸を介して前記筐体に回動可能に設けられ、回動することにより前記原稿台を開閉する開閉体と、前記原稿台の原稿載置面に対して交差する方向への前記回動軸の変位を許容する第1状態と、前記変位を規制する第２状態と、を切り換え可能な回動軸規制手段とを備えたことを特徴とする。
【００１０】
本態様によれば、画像読取装置は原稿台を開閉する開閉体の回動軸の変位を許容する第1状態と、前記変位を規制する第２状態と、を切り換え可能な回動軸規制手段を備えているので、前記回動軸規制手段を前記第１状態とすることで、原稿の厚みに応じて前記原稿台に載置された原稿を、前記開閉体によって適切に押さえることができる。また、前記回動軸規制手段を前記第２状態とすることで、装置の姿勢に影響されず、適切に原稿を押さえることができる。
【００１１】
本発明の第２の態様は、第１の態様において、前記回動軸規制手段は、前記筐体の設置面に対する前記筐体の姿勢に応じて前記第1状態と前記第２状態とを切り換えることを特徴とする。
【００１２】
本態様によれば、前記回動軸規制手段は、前記筐体の設置面に対する前記筐体の姿勢に応じて前記第1状態と前記第２状態とを切り換えるので、装置の姿勢に影響されず、前記原稿台に載置された原稿を、前記開閉体によって適切に押さえることができる。
【００１３】
本発明の第３の態様は、第２の態様において、前記回動軸規制手段は、前記設置面に対して前記筐体の裏側が接した場合に前記第１状態をとり、前記設置面に対して前記筐体の裏側が離れた場合に前記第２状態をとることを特徴とする。
【００１４】
本態様によれば、前記回動軸規制手段は、前記設置面に対して前記筐体の裏側が接した場合に前記第１状態をとり、前記設置面に対して前記筐体の裏側が離れた場合に前記第２状態をとるので、前記設置面に対して前記筐体の裏側が離れた場合に前記回動軸が不用意に動くことを防止できる。その結果、装置の姿勢に影響されず、前記原稿台に載置された原稿を、前記開閉体によって適切に押さえることができ、或いは、装置を持ち運ぶ際に、前記開閉体が意図せず外れてしまうことを防止できる。
【００１５】
本発明の第４の態様は、第３の態様において、前記回動軸は前記開閉体に設けられた回動軸部に設けられ、前記回動軸規制手段は、前記回動軸部から離間して前記第１状態を形成する離間位置と、前記回動軸部と係合して前記第２状態を形成する係合位置と、の間を変位可能に設けられた規制部材と、前記規制部材を前記係合位置に向けて付勢する付勢部材と、前記筐体の裏側から突出し、前記規制部材の前記係合位置への変位を許容する突出位置と、当該突出位置よりも前記筐体の内側に押し込まれ、前記規制部材の前記係合位置への変位を規制する押し込み位置と、の間を変位可能に設けられた部材と、を備えることを特徴とする。
【００１６】
本態様によれば、前記規制部材、前記付勢部材、前記変位可能に設けられた部材、のこれらによって、前記筐体の前記設置面に対する姿勢に応じて前記回動軸規制手段が前記第1状態と前記第２状態とを切り換える。即ち、特段のユーザー操作を必要とせず、前記回動軸規制手段が、前記筐体の姿勢に応じた適切な状態に切り換わり、これによりユーザーの操作性が向上する。
【００１７】
本発明の第５の態様は、第４の態様において、前記変位可能に設けられた部材はカム機構を有する部材であることを特徴とする。
【００１８】
本発明の第６の態様は、第３の態様において、前記回動軸は前記開閉体に設けられた回動軸部に設けられ、前記回動軸規制手段は、前記回動軸部から離間して前記第１状態を形成する離間位置と、前記回動軸部と係合して前記第２状態を形成する係合位置と、の間を変位可能に設けられた規制部材と、前記規制部材を変位させる為の操作部と、を備えることを特徴とする。
【００１９】
本発明の第７の態様は、第１から第６の態様のいずれかにおいて、前記筐体は、前記回動軸を前記原稿載置面に対して交差する方向に案内する直線状の軸受け部を有することを特徴とする。
【００２０】
本発明の第８の態様は、第１から第７の態様のいずれかにおいて、前記筐体の設置面に対して前記筐体を傾斜姿勢に保持可能なスタンドを備え、前記筐体が前記傾斜姿勢に保持された状態において、前記開閉体は、鉛直方向と交差する方向である横方向に開閉することを特徴とする。
【００２１】
本態様によれば、前記筐体が前記傾斜姿勢に保持された状態において、前記開閉体は、鉛直方向と交差する方向である横方向に開閉するので、前記開閉体の開いた状態を容易に保持することができ、前記原稿台への原稿載置の際の作業性が向上する。
【図面の簡単な説明】
【００２２】
【図１】本発明に係る画像読取装置において開閉体が閉じた状態を示す外観斜視図。
【図２】画像読取装置において開閉体が開いた状態を示す外観斜視図。
【図３】画像読取装置における筐体内の構造を載置面側から見た平面図。
【図４】画像読取装置の筐体における側断面図。
【図５】画像読取装置の傾斜姿勢を示す斜視図。
【図６】画像読取装置における軸受け部の側断面図。
【図７】画像読取装置において開閉体が開いた状態における軸受け部の側断面図。
【図８】画像読取装置における回動軸規制手段の第１状態を示す側面図。
【図９】画像読取装置における回動軸規制手段の第２状態を示す側面図。
【図１０】画像読取装置の傾斜姿勢において開閉体を開いた状態を示す斜視図。
【図１１】（Ａ）は回動軸規制手段の変更例における第１状態を示す概要図であり、（Ｂ）は回動軸規制手段の変更例における第２状態を示す概要図。
【発明を実施するための形態】
【００２３】
以下、本発明の実施の形態を図面に基づいて説明する。尚、各実施例において同一の構成については、同一の符号を付し、最初の実施例においてのみ説明し、以後の実施例においてはその構成の説明を省略する。
【００２４】
図１は本発明に係る画像読取装置において開閉体が閉じた状態を示す外観斜視図であり、図２は画像読取装置において開閉体が開いた状態を示す外観斜視図であり、図３は画像読取装置における筐体内の構造を載置面側から見た平面図であり、図４は画像読取装置の筐体における側断面図であり、図５は画像読取装置の傾斜姿勢を示す斜視図である。
【００２５】
図６は画像読取装置における軸受け部の側断面図であり、図７は画像読取装置において開閉体が開いた状態における軸受け部の側断面図であり、図８は画像読取装置における回動軸規制手段の第１状態を示す側面図であり、図９は画像読取装置における回動軸規制手段の第２状態を示す側面図であり、図１０は画像読取装置の傾斜姿勢において開閉体を開いた状態を示す斜視図であり、図１１（Ａ）は回動軸規制手段の変更例における第１状態を示す概要図であり、図１１（Ｂ）は回動軸規制手段の変更例における第２状態を示す概要図である。
【００２６】
各図において示すＸ−Ｙ−Ｚ座標系はＸ方向が画像読取部の走査方向かつ装置幅方向、Ｙ方向が画像読取部の移動方向かつ装置奥行き方向、Ｚ方向が原稿載置面に直交する方向を示している。尚、本明細書において＋Ｙ軸方向側を装置背面側とし、−Ｙ軸方向側を装置前面側とする。
【００２７】
■■■画像読取装置の概要■■■■
図１ないし図５を参照して、画像読取装置１０について説明する。画像読取装置１０は、筐体１２と、「開閉体」としてのカバー１４と、原稿台１６と、操作部１８と、案内部２０と、駆動機構２２と、「読み取り手段」としての画像読取部２４と、スタンド２６とを備えている。
【００２８】
図２に示すように筐体１２の上部には原稿台１６が設けられている。原稿台１６は、原稿載置面２８と、当該原稿載置面２８を取り囲むように配置された前面フレーム３０ａと、背面フレーム３０ｂと、側面フレーム３０ｃ、３０ｄとを備えている。これらのフレーム３０ａ、３０ｂ、３０ｃ、３０ｄは、原稿載置面２８の周囲を構成している。
【００２９】
また、本実施例において原稿載置面２８は平坦かつ透明なガラス板により構成されている。そして、原稿載置面２８には画像を読み取る原稿を載置可能である。つまり、原稿載置面２８は画像読取部２４により媒体の読み取りが可能な読取領域として構成されている。
【００３０】
また、筐体１２において装置前面側（図１及び図２における−Ｙ軸方向側）には操作部１８が設けられている。操作部１８は、画像読取装置１０を操作するための電源スイッチや設定切換ボタン等を備えて構成されている。
【００３１】
また、筐体１２において装置背面側（図１及び図２における＋Ｙ軸方向側）の端部にはカバー１４が筐体１２に対して回動可能に取り付けられている。カバー１４は、図１に示すように原稿台１６に対して閉じた姿勢と、図２に示すように原稿台１６に対して開いた姿勢とを切換可能に取り得る。また、カバー１４の原稿台１６と対向する側には、原稿押さえ部材３２が設けられている。原稿押さえ部材３２は例えばスポンジのような弾性体により構成されている。
【００３２】
原稿押さえ部材３２は、カバー１４が原稿台１６に対して閉じた姿勢（図１参照）となった際、原稿台１６に設けられた原稿載置面２８に載置された原稿を当該原稿の被読取面と反対側から一様に押圧する。これにより、原稿押さえ部材３２により押圧された媒体の被読取面が原稿載置面２８に密着する。つまり、原稿押さえ部材３２は、原稿載置面２８から原稿が浮き上がることを防止できる。尚、原稿押さえ部材３２の大きさは、原稿載置面２８に載置される原稿において原稿載置面２８と反対側の面の全領域を押さえられるように原稿載置面２８の大きさと略同じ大きさに設定されている。
【００３３】
図３に示すように筐体１２内には、装置奥行き方向（図３におけるＹ軸方向）において装置前面側（図３における−Ｙ軸方向側）から装置背面側（図３における＋Ｙ軸方向側）に延びる案内部２０が設けられている。案内部２０において図３における＋Ｘ軸方向側の側面にはラック３４が形成されている。また、図４に示すように案内部２０の上面（図４における＋Ｚ軸方向側）には装置奥行き方向に延びる凸部３６が形成されている。
【００３４】
そして、案内部２０には駆動機構２２及び画像読取部２４が装置奥行き方向（図３におけるＹ軸方向）に往復移動可能に取り付けられている。駆動機構２２は駆動モーター３８と、ピニオンギア４０と、凹部４２とを備えている。駆動モーター３８は、その駆動力を図示しない複数のギアを介してピニオンギア４０に伝達する。ピニオンギア４０は案内部２０のラック３４と噛合している。つまり、ラック３４とピニオンギア４０とはラックアンドピニオン機構を構成している。
【００３５】
また、凹部４２（図４参照）は、案内部２０の凸部３６を受け入れている。図４に示すように原稿載置面２８と直交する方向において駆動機構２２の上部（図４における＋Ｚ軸方向側）には画像読取部２４が取り付けられている。画像読取部２４は、原稿載置面２８と直交する方向（図４におけるＺ軸方向）において上方側（＋Ｚ方向側）に位置する原稿載置面２８に載置された原稿に光を照射し、該原稿からの反射光を受光して原稿の情報を読み取る光学ユニットとして構成されている。また、画像読取部２４は、装置幅方向（図３及び図４におけるＸ軸方向）に延設されており、原稿載置面２８の装置幅方向における長さに対応している。
【００３６】
ここで、駆動機構２２の駆動モーター３８を駆動させると、その駆動力がピニオンギア４０に伝達される。そして、駆動機構２２は案内部２０の凸部３６に沿って画像読取部２４を装置奥行き方向（図３におけるＹ軸方向）に移動させ、原稿載置面２８に載置された原稿の被読取面の画像などの情報を読み取る。
【００３７】
また、図４に示すように筐体１２の裏面には収容部４４が設けられている。収容部４４には、スタンド２６が収容されている。スタンド２６は、図４に示すように収容部４４に収容された状態と、図５に示すように収容部４４から引き出されて筐体１２の裏面１２ａに対して傾斜した状態とを切換可能に構成されている。そして、スタンド２６は、筐体１２を傾斜した姿勢で保持可能に構成されている。
【００３８】
尚、本実施例における画像読取装置１０は、図１及び図２に示すように設置面４６に対して筐体１２の裏面１２ａが接する水平姿勢、あるいは図５に示すように設置面４６に対して筐体１２が傾斜する傾斜姿勢で使用又は保管される。
【００３９】
■■■開閉体の回動機構について■■■■
図６及び図７を参照して、筐体１２に対して回動可能に取り付けられたカバー１４の回動機構について説明する。カバー１４において装置奥行き方向における装置背面側（図６における＋Ｙ軸方向側）の端部には、回動軸部４７、４７が設けられている。回動軸部４７は、装置幅方向（図２におけるＸ軸方向）においてカバー１４の両端部に設けられている。回動軸部４７には、回動軸４８、４８（図８参照）が設けられている。回動軸４８は、図８に示すように回動軸部４７の装置幅方向（図８におけるＸ軸方向）における両端部から装置幅方向へそれぞれ突出して形成されている。
【００４０】
また、筐体１２において装置奥行き方向における装置背面側（図６における＋Ｙ軸方向側）の端部には、軸受け部５０、５０（図３、図６及び図７参照）が設けられている。軸受け部５０、５０は、筐体１２の装置背面側の端部において装置幅方向に間隔をおいて設けられている。軸受け部５０には、原稿載置面２８に対して交差する方向に延びる直線状の案内溝５２が形成されている。カバー１４の回動軸４８は案内溝５２内に受け入れられている。これにより、回動軸４８は、原稿載置面２８に対して交差する方向に変位可能となっている。尚、本実施例において案内溝５２は原稿載置面２８に対して直交する方向に延びている。
【００４１】
また、筐体１２には、装置奥行き方向（図６及び図７におけるＹ軸方向）において軸受け部５０よりも装置背面側（図６及び図７における＋Ｙ軸方向）の位置に回動規制部５４が設けられている。回動軸４８を案内溝５２内で図６における反時計回り方向に回動させると、カバー１４も前記反時計周り方向に回動し、原稿台１６を閉じた姿勢（図６におけるカバー１４の姿勢）から原稿台１６を開いた姿勢（図７におけるカバー１４の姿勢）へと切り換わる。
【００４２】
カバー１４が原稿台１６に対して開いた姿勢に切り換わると、カバー１４の回動軸部４７側の端部１４ａは、回動規制部５４と当接する。そして、カバー１４が原稿台１６に対して所定の角度以上に開いた状態となることを規制する。つまり、カバー１４の回動軸部４７側の端部１４ａと回動規制部５４とが当接することにより、回動軸４８の図７における反時計回り方向への回動が規制される。
【００４３】
また、カバー１４を原稿台１６に対して回動させ、カバー１４を原稿台１６に対して開いた姿勢とすることにより、原稿載置面２８に原稿をセットすること、あるいは原稿を交換することができる。
【００４４】
また、図６に示すように本実施例において回動軸４８は案内溝５２内において原稿載置面２８と直交する方向（図６におけるＺ軸方向）に変位可能である。したがって、回動軸４８を案内溝５２内において実線で描かれた位置から案内溝５２の上端部（図６における一点鎖線で描かれた位置）に向かって変位させると、カバー１４も原稿台１６から装置高さ方向における上方（図６における＋Ｚ軸方向）へ向けて移動し、原稿台１６から離間する。また、回動軸４８は案内溝５２の前記上端部に位置する状態でも回動可能であることから、カバー１４は回動軸４８の原稿載置面２８と交差する方向への変位に伴ってカバー１４が原稿台１６から離間した状態においても筐体１２に対して回動可能である。
【００４５】
つまり、本実施例では、カバー１４の回動中心である回動軸４８を案内溝５２に沿って装置高さ方向に上下動することができる。したがって、原稿載置面２８に厚みのある原稿、例えば冊子やパスポート等を載置した場合、その厚み分に応じてカバー１４の回動中心である回動軸４８が案内溝５２内で原稿載置面２８に交差する方向へ変位する。その結果、カバー１４を前記厚みのある原稿が載置された原稿載置面２８に対して閉じるように回動させた際、カバー１４はこれら厚みのある原稿の被読取面と反対側を均一に押圧することができる
【００４６】
■■■回動軸規制手段について■■■■
次いで、図８及び図９を参照して案内溝５２内における回動軸４８の変位を規制する回動軸規制手段６０について説明する。回動軸規制手段６０は、規制部材６２と、付勢部材６４と、「変位可能に設けられた部材すなわちカム機構を有する部材」としてのカム部材６６とを備えている。
【００４７】
規制部材６２は、回動軸４８と係合可能な係合部６２ａと、傾斜面６２ｂとを備えている。規制部材６２は、筐体１２内において図８及び図９に示すように装置幅方向（図８及び図９におけるＸ軸方向）に沿って変位可能に構成されている。
【００４８】
具体的には規制部材６２は、案内溝５２内における原稿載置面２８に対して交差する方向（図８及び図９におけるＺ軸方向）への回動軸４８の変位を許容する第１状態を形成する離間位置（図８における規制部材６２の位置）と、案内溝５２内における原稿載置面２８に対して交差する方向（図８及び図９におけるＺ軸方向）への回動軸４８の変位を規制する第２状態を形成する係合位置（図９における規制部材６２の位置）との間を変位可能に構成されている。そして、規制部材６２が係合位置に位置すると、係合部６２ａは回動軸４８と係合可能となる。
【００４９】
また、付勢部材６４は、一端が規制部材６２に取り付けられ、他端が筐体１２に取り付けられている。そして、付勢部材６４は規制部材６２を離間位置（図８における規制部材６２の位置）から係合位置（図９における規制部材６２の位置）に向けて付勢している。尚、本実施例において、付勢部材６４はコイルばねとして構成されている。
【００５０】
カム部材６６は、筐体１２内において規制部材６２の下方側（図８及び図９におえｋる）に配置されている。カム部材６６は、規制部材６２の傾斜面６２ｂと係合するカム面６６ａと、筐体１２の裏面１２ａから突出可能な突出部６６ｂとを備えている。
【００５１】
本実施例において、カム部材６６は筐体１２の裏側、つまり裏面１２ａから突出する突出位置（図９におけるカム部材６６の位置）と、当該突出位置よりも筐体１２の内側に押し込まれる押し込み位置（図８におけるカム部材６６の位置）との間を変位可能に構成されている。
【００５２】
カム部材６６を図９に示す突出位置から図８に示す押し込み位置に押し込むと、カム部材６６のカム面６６ａが装置高さ方向における上方（図８及び図９における＋Ｚ軸方向）に変位する。これにより、規制部材６２の傾斜面６２ｂはカム面６６ａに対してスライド移動させられ、規制部材６２は付勢部材６４の付勢力に抗して係合位置（図９における規制部材６２の位置）つまり規制部材６２と回動軸部４７とが係合する位置から離間位置（図８における規制部材６２の位置）つまり規制部材６２と回動軸部４７とが係合状態を解消して離間する位置へ変位させられる。尚、図８では、筐体１２の裏面１２ａが設置面４６に接している状態を示している。この状態では、設置面４６によりカム部材６６が押し込み位置に押し込まれている。
【００５３】
これにより、回動軸規制手段６０は第１状態となり、案内溝５２内において回動軸４８の原稿載置面２８と交差する方向（図８及び図９におけるＺ軸方向）への変位が許容される。
【００５４】
次いで、例えば、筐体１２を設置面４６から持ち上げると、付勢部材６４の付勢力に抗してカム部材６６を押し込み位置（図８におけるカム部材６６の位置）に押し込んでいた力が消失する。これにより、規制部材６２は付勢部材６４の付勢力により、規制部材６２は離間位置（図８における規制部材６２の位置）から係合位置（図９における規制部材６２の位置）へ変位させられる。
【００５５】
そして、カム部材６６のカム面６６ａは、規制部材６２の離間位置（図８における規制部材６２の位置）から係合位置（図９における規制部材６２の位置）への変位に伴い規制部材６２の傾斜面６２ｂに対してスライド移動させられる。その結果、カム部材６６は、図８に示す押し込み位置（図８におけるカム部材６６の位置）に押しこまれた状態から図９に示す筐体１２の裏面１２ａから突出する突出位置（図９におけるカム部材６６の位置）に変位させられる。
【００５６】
また、規制部材６２の離間位置（図８における規制部材６２の位置）から係合位置（図９における規制部材６２の位置）への変位に伴い、案内溝５２内に規制部材６２の係合部６２ａが突出することとなるので、回動軸規制手段６０は第２状態となり、回動軸４８の原稿載置面２８と交差する方向（図８及び図９におけるＺ軸方向）への変位が規制される。
【００５７】
つまり、本実施例では、回動軸規制手段６０は、設置面４６に対して筐体１２の裏面１２ａが接した場合に第１状態をとり、設置面４６に対して筐体１２の裏面１２ａが離れた場合に第２状態をとるので、設置面４６に対して筐体１２の裏面１２ａが離れた場合に回動軸４８が不用意に動くことを防止できる。その結果、画像読取装置１０の姿勢に影響されず、原稿台１６に載置された原稿を、カバー１４によって適切に押さえることができ、或いは、画像読取装置１０を持ち運ぶ際に、カバー１４が意図せず外れてしまうことを防止できる。
【００５８】
また、図１０に示すように筐体１２をスタンド２６により設置面４６に対して傾斜した姿勢に保持した場合において、筐体１２の裏面１２ａは設置面４６に対して接地されていない。したがって、カム部材６６は設置面４６により筐体１２内に押し込まれていない。その結果、カム部材６６は突出位置（図９におけるカム部材６６の位置）にあるので、規制部材６２は係合位置（図９における規制部材６２の位置）に位置している。つまり、回動軸４８は回動軸規制手段６０により原稿載置面２８と交差する方向への変位を規制されている状態にある。
【００５９】
その結果、筐体１２が傾斜姿勢にある場合、回動軸４８は回動軸規制手段６０により変位を規制されているので、回動軸４８が原稿載置面２８と交差する方向において＋Ｚ軸方向側に不用意に動き、カバー１４が原稿台１６との間に隙間を形成してしまうことを防止できる。これにより、原稿載置面２８に載置された原稿が原稿載置面２８からずれてしまうことや原稿の一部が原稿載置面２８から浮き上がることにより原稿の画像読み取りの精度が低下することを抑制することができる。
【００６０】
すなわち、回動軸規制手段６０は、筐体１２の設置面４６に対する筐体１２の姿勢に応じて第1状態と第２状態とを切り換えるので、画像読取装置１０の姿勢に影響されず、原稿台１６に載置された原稿を、カバー１４によって適切に押さえることができる。
【００６１】
さらに、図１０に示すように筐体１２が傾斜姿勢に保持された状態において、カバー１４は、設置面４６に対する鉛直方向と交差する方向である横方向に開閉するので、カバー１４の開いた状態を容易に保持することができ、原稿台１６への原稿載置の際の作業性が向上する。
【００６２】
また、本実施例では規制部材６２、付勢部材６４、カム部材６６のこれらによって、筐体１２の設置面４６に対する姿勢に応じて回動軸規制手段６０が第1状態と第２状態とを切り換える。即ち、特段のユーザー操作を必要とせず、回動軸規制手段６０が、筐体１２の姿勢に応じた適切な状態に切り換わり、これによりユーザーの操作性が向上する。
【００６３】
上記説明をまとめると本実施例において、画像読取装置１０は原稿台１６を開閉するカバー１４の回動軸４８の変位を許容する第1状態と、回動軸４８の変位を規制する第２状態と、を切り換え可能な回動軸規制手段６０を備えているので、回動軸規制手段６０を第１状態とすることで、原稿の厚みに応じて原稿台１６に載置された原稿を、カバー１４によって適切に押さえることができる。また、回動軸規制手段６０を第２状態とすることで、画像読取装置１０の姿勢に影響されず、適切に原稿を押さえることができる。
【００６４】
＜＜＜回動軸規制手段の変更例＞＞＞
図１１（Ａ）及び図１１（Ｂ）を参照して回動軸規制手段の変更例について説明する。回動軸規制手段６８は、規制部材７０と、操作部７２とを備えている。規制部材７０は回動軸４８と係合可能な係合部７０ａを備えている。一例として、操作部７２は規制部材７０に取り付けられるとともに、筐体１２に対して装置幅方向（Ｘ軸方向）にスライド移動可能に設けられている。つまり、操作部７２を装置幅方向（Ｘ軸方向）にスライド移動させると、規制部材７０も装置幅方向（Ｘ軸方向）に変位する。尚、図１１（Ａ）及び図１１（Ｂ）において筐体１２の図示は省略している。
【００６５】
図１１（Ａ）において規制部材７０は離間位置にあるので、係合部７０ａと回動軸４８とは係合しない。つまり、回動軸規制手段６８は第１状態にあるので、回動軸４８の原稿載置面２８と交差する方向（図１１（Ａ）及び図１１（Ｂ）におけるＺ軸方向）への変位が許容される。
【００６６】
そして、ユーザーが操作部７２を操作して、操作部７２を装置幅方向（Ｘ軸方向）にスライド移動させると、規制部材７０も装置幅方向（Ｘ軸方向）において離間位置（図１１（Ａ）参照）から係合位置（図１１（Ｂ）参照）へ移動する。これにより、係合部７０ａと回動軸４８とが係合する。つまり、回動軸規制手段６８は第１状態から第２状態へと切り換わるので、回動軸４８の原稿載置面２８と交差する方向（図１１（Ａ）及び図１１（Ｂ）におけるＺ軸方向）への変位が規制される。
【００６７】
上記説明をまとめると本実施例における画像読取装置１０は、原稿を載置する原稿台１６および当該原稿台１６に載置された原稿を読み取る画像読取部２４が設けられた筐体１２と、回動軸４８を介して筐体１２に回動可能に設けられ、回動することにより原稿台１６を開閉するカバー１４と、原稿台１６の原稿載置面２８に対して交差する方向への回動軸４８の変位を許容する第1状態と、回動軸４８の変位を規制する第２状態と、を切り換え可能な回動軸規制手段６０、６８とを備えている。
【００６８】
回動軸規制手段６０は、筐体１２の設置面４６に対する筐体１２の姿勢に応じて第1状態と第２状態とを切り換える。回動軸規制手段６０は、設置面４６に対して筐体１２の裏面１２ａが接した場合に第１状態をとり、設置面４６に対して筐体１２の裏面１２ａが離れた場合に第２状態をとる。
【００６９】
回動軸４８はカバー１４に設けられた回動軸部４７に設けられ、回動軸規制手段６０は、回動軸部４７から離間して第１状態を形成する離間位置と、回動軸部４７と係合して第２状態を形成する係合位置と、の間を変位可能に設けられた規制部材６２と、当該規制部材６２を係合位置に向けて付勢する付勢部材６４と、筐体１２の裏面１２ａから突出し、規制部材６２の係合位置への変位を許容する突出位置と、当該突出位置よりも筐体１２の内側に押し込まれ、規制部材６２の係合位置への変位を規制する押し込み位置と、の間を変位可能に設けられた部材とを備えている。前記変位可能に設けられた部材はカム機構を有するカム部材６６である。
【００７０】
回動軸４８はカバー１４に設けられた回動軸部４７に設けられ、回動軸規制手段６８は、回動軸部４７から離間して第１状態を形成する離間位置と、回動軸部４７と係合して第２状態を形成する係合位置と、の間を変位可能に設けられた規制部材７０と、当該規制部材７０を変位させる為の操作部７２とを備えている。
【００７１】
また、画像読取装置１０において筐体１２は、回動軸４８を原稿載置面２８に対して交差する方向に案内する直線状の案内溝５２を備える軸受け部５０を有している。また、画像読取装置１０は筐体１２の設置面４６に対して筐体１２を傾斜姿勢に保持可能なスタンド２６を備えている。筐体１２がスタンド２６により傾斜姿勢に保持された状態においてカバー１４は、設置面４６に対する鉛直方向と交差する方向である横方向に開閉する。
【００７２】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００７３】
１０  画像読取装置、１２  筐体、１２ａ  裏面、１４  カバー、１４ａ  端部、
１６  原稿台、１８、７２  操作部、２０  案内部、２２  駆動機構、２４  画像読取部、
２６  スタンド、２８  原稿載置面、３０ａ  前面フレーム、３０ｂ  背面フレーム、
３０ｃ  側面フレーム、３０ｄ  側面フレーム、３２  原稿押さえ部材、３４  ラック、
３６  凸部、３８  駆動モーター、４０  ピニオンギア、４２  凹部、４４  収容部、
４６  設置面、４７  回動軸部、４８  回動軸、５０  軸受け部、５２  案内溝、
５４  回動規制部、６０、６８  回動軸規制手段、６２、７０  規制部材、
６２ａ、７０ａ  係合部、６２ｂ  傾斜面、６４  付勢部材、６６  カム部材、
６６ａ  カム面、６６ｂ  突出部
【図１】
0006399289.tif 000002
【図２】
0006399289.tif 000003
【図３】
0006399289.tif 000004
【図４】
0006399289.tif 000005
【図５】
0006399289.tif 000006
【図６】
0006399289.tif 000007
【図７】
0006399289.tif 000008
【図８】
0006399289.tif 000009
【図９】
0006399289.tif 000010
【図１０】
0006399289.tif 000011
【図１１】
0006399289.tif 000012